(57)【特許請求の範囲】
【請求項１】
天板本体の縁部近傍において、オプション部材を下から止めるためのレールを、天板幅方向に沿って天板本体の前縁近傍及び後縁近傍において対向するように平行にしつつ、天板本体の厚み内に設けるとともに、前後のレール間に直接又は間接に密接させて天板本体に裏面補強部材を設けたことを特徴とする天板。
【請求項２】
裏面補強部材が、天板本体の面板に対向する位置に配される面板を具備し、天板本体の面板と裏面補強部材の面板との間にペーパーハニカム等の軽量芯材を挟み込むように介在させている請求項１記載の天板。
【請求項３】
レールは、下向きに開口する連続溝状をなし、開口縁よりも内部が拡開している請求項１又は２記載の天板。
【請求項４】
天板の前縁側又は後縁側にオプション部材の取付位置を一定ピッチに規制する取付構造をさらに有する請求項１〜３の何れかに記載の天板。
【請求項５】
前記取付構造が、天板の前縁側又は後縁側に平行に設けられたスリット孔である請求項４記載の天板。
【請求項６】
請求項１〜５の何れかに記載の天板を具備し、その天板の下面には前縁側若しくは後縁側又は前後両縁側にレールが備わることを特徴とする天板付家具。
【請求項７】
少なくとも天板の後縁側にレールを備えるとともに、その後縁側に背板が配される場合において、天板の後縁側に、当該天板との間にオプション部材を立ち上げるための間隙を設けている請求項６記載の天板付家具。
【請求項８】
背板にも、幅方向に沿ってレールを設け、天板のレール及び背板のレールの双方を利用してオプション部材を取り付け可能としている請求項７記載の天板付家具。
【請求項９】
天板本体の縁部近傍において、オプション部材を下から止めるためのレールを、少なくとも天板下面の後縁側において天板幅方向に沿って当該天板本体の厚み内に設けた天板を具備し、
当該天板の後縁側に背板が配される場合において、当該背板と前記天板との間にオプション部材を立ち上げるための間隙を設けるとともに、前記背板にも、幅方向に沿ってレールを設け、天板のレール及び背板のレールの双方を利用してオプション部材を取り付け可能としたことを特徴とする天板付家具。
【発明の詳細な説明】
【技術分野】
【０００１】
本発明は、種々のオプション部材を所望の位置に適切に取り付け得るようにした天板及びこれを利用した天板付家具に関するものである。
【背景技術】
【０００２】
天板にオプション部材を付帯させるようにしたものとして、特許文献１に示すもの等が知られている。
【０００３】
このものは、脚を構成する枠材に、長手方向に沿ってレール溝を有するものを採用し、この枠材の長手方向所要箇所に取付具を介してオプション部材を取り付け、オプション部材をデスク上において利用できるようにしている。
【特許文献１】特許第３４５７１８２号公報
【発明の開示】
【発明が解決しようとする課題】
【０００４】
ところで、上記特許文献１の枠材は、天板の後縁側には設けられているが、天板の前縁側には設けられていない。センター引出などと干渉してデスクの機能を損なうからである。したがって、天板の前縁側にはオプション部材を取り付けることができないという不具合があり、敢えてこれを実現すべく天板の前縁側に枠体を設けると、センター引出等が取り付けられなくなるという問題がある。
【０００５】
また、オプション部材の基端取付具と枠体との間にさほど大きな取付面を確保できないので、取付状態の安定化を図ることも難しい。
【０００６】
本発明は、このような課題に着目してなされたものであって、天板の前縁や後縁にオプション部材を有効に取り付けることができ、デスクの機能も損なうことがないようにした、新たな天板及びこれを利用した天板付家具を提供することを目的としている。
【課題を解決するための手段】
【０００７】
本発明は、かかる目的を達成するために、次のような手段を講じたものである。
【０００８】
すなわち、本発明の天板は、天板本体の縁部近傍において、オプション部材を下から止めるためのレールを、天板幅方向に沿って天板本体の前縁近傍及び後縁近傍において対向するように平行にしつつ、天板本体の厚み内に設けるとともに、前後のレール間に直接又は間接に密接させて天板本体に裏面補強部材を設けたことを特徴とする。
【０００９】
このように構成すると、天板の前縁、後縁を問わずにオプション部材を取り付けるための構造を採用できるので、従来に比してより多様な取付態様を実現することができる。しかも、レールは天板本体の厚み内に設けてあるため、交叉する方向にセンター引出やＰＣハンガー等を、レールと干渉することなく取り付けることが可能であり、天板本来の機能を損なうことがない。さらに、オプション部材を取り付けるための基端取付部を天板の下面に密着させて取り付けることができるので、取付強度も有効に高めることがで、またレールが所要の強度を有することで、レールは天板本体を補強する役割も果たすことになる。そして、天板に付帯して使用される種々のオプション部材を、天板幅方向の適宜位置においてレールに取り付けることが可能になるとともに、クランプのように天板面を使用せずにオプション部材を取り付けられるので、作業面に影響を及ぼさない取付態様が実現可能となる。
【００１０】
また、レールを、天板本体の前縁近傍及び後縁近傍において対向するように平行に設けているため、オプション部材の取付位置を多様化することができる。さらに、前後のレール間に直接又は間接に密接させて天板本体に裏面補強部材を設けているため、天板やレールの強度を有効に高めることができる。
【００１１】
特に、裏面補強部材が、天板本体の面板に対向する位置に配される面板を具備する場合には、天板本体の面板と裏面補強部材の面板との間にペーパーハニカム等の軽量芯材を挟み込むように介在させておくことが好適である。
【００１２】
オプション部材の下方への脱落を防いで、確実な取付状態を得るためには、レールは、下向きに開口する連続溝状をなし、開口縁よりも内部が拡開した形状をなしていることが望ましい。
【００１３】
レールによる取付位置を適切な位置に誘導したり、一又は複数のオプション部材を適切な位置や間隔で取り付けること等を容易にするためには、天板の前縁側又は後縁側にオプション部材の取付位置を一定ピッチに規制する取付構造をさらに有していることが望ましい。
【００１４】
その取付構造としては、天板の前縁側又は後縁側に平行に設けられたスリット孔としておく態様が好適である。
【００１５】
このような天板を利用した天板付家具の態様としては、天板の下面における前縁側にレールが備わるもの、後縁側にレールが備わるもの、又は前後両縁側にレールが備わるものが挙げられる。
【００１６】
少なくとも天板の後縁側にレールを備えるとともに、その後縁側に背板が配される場合には、天板の後縁側に、当該天板との間にオプション部材を立ち上げるための間隙を設けておくことが有効である。
【００１７】
特にこの場合には、背板にも、幅方向に沿ってレールを設け、天板のレール及び背板のレールの双方を利用してオプション部材を取り付け可能としていることが望ましい。
【００１８】
さらに、本発明の天板付家具は、天板本体の縁部近傍において、オプション部材を下から止めるためのレールを、少なくとも天板下面の後縁側において天板幅方向に沿って当該天板本体の厚み内に設けた天板を具備し、当該天板の後縁側に背板が配される場合において、当該背板と前記天板との間にオプション部材を立ち上げるための間隙を設けるとともに、前記背板にも、幅方向に沿ってレールを設け、天板のレール及び背板のレールの双方を利用してオプション部材を取り付け可能としたことを特徴とする。
【発明の効果】
【００１９】
本発明は、以上説明した構成であるから、天板の機能を損なうことなく、オプション部材を自由な位置に取り付ける構造を無理なく実現でき、同時に天板強度も有効に高め得るようにした新規有用な天板及び天板付家具を提供することができる。
【発明を実施するための最良の形態】
【００２０】
以下、本発明の一実施形態を、図面を参照して説明する。
【００２１】
図１は、この実施形態の天板２を適用した天板付家具たるデスクを示している。このデスクは、左右に対をなす脚１の天板受１ｘに天板２を支持させ、脚１の後面間に補強を兼ねる背板３を取り付けたものである。
【００２２】
そして、その天板２の肉厚内に、天板幅方向に沿ってレールＲ１，Ｒ２を構成するレール部材２１、２２を設け、このレール部材２１，２２のレール溝を天板下面側に開口させている。レール部材２１，２２は概略下向Ｃ字形をなし、開口縁２１ａ、２２ａよりも内側が拡開している。
【００２３】
図２は天板２の裏面を示す斜視図であり、図３はその一部破断した部分分解図、図４は縦断面図である。これらの図面に示されるように、天板２は、前縁及び後縁に下面側への折曲部２０ａ、２０ｂを形成した面板２０と、それら前後の折曲部２０ａ、２０ｂの内側に一部差し込んだ状態で取り付けられて面板２０を補強するための天板幅方向に沿った補強部材２３，２４と、これらの補強部材２３，２４に形成した取付面２３ａ、２４ａに天板幅方向に沿って取り付けられるレール部材２１，２２と、面板２０の左右の縁部に嵌め込まれる側枠材２５と、補強部材２３，２４及び側枠材２５の内側に裏面側に開口するように凹状に設けたパネル受２３ｂ、２４ｂ、２５ｂと、面板２６ｂの四辺に形成した差込片２６ａを前記パネル受２３ｂ、２４ｂ、２５ｂに差し込んで取り付けられる裏面補強部材たる補強パネル２６とから天板本体２ｓが構成される。
【００２４】
側枠材２５の裏面には２対のフック孔２５ａ、２５ｂが開口しており、これらのフック孔２５ａ、２５ａは、図５に示すように天板２を脚１の天板受１ｘに載せ置いた際に当該天板受１ｘに設けた固定爪１１及び可動爪１２が差し込まれ、差込位置で可動爪１２が固定爪１１に対し相対移動することによって、各々がフック孔２５ａ、２５ｂに係り合い、天板２を脚１に固定するものである。
【００２５】
補強部材２３，２４の裏面２３ｃ、２４ｃには天板巾方向に沿って所定ピッチでスリット孔２３ｄ、２４ｄが開口している。
【００２６】
すなわち、天板２の裏面においては、面板２０の折曲部２０ａ、２０ｂの裏面２０ａ１、２０ｂ１と、補強部材２３，２４の裏面２３ｃ、２４ｃと、側枠材２５の裏面２５ｃと、補強パネル２６の面板２６ｂとが略面一となるように設定してあり、全体として天板２の裏面すなわち下面を構成している。この中にあって、レール部材２１，２２を取り付けるべく、補強部材２３，２４に形成した取付面２３ａ、２４ａはその裏面２３ｃ、２４ｃよりも裏面視において低位置にあり、Ｃ字形をなすレール部材２１，２２を取り付けた状態で、レール部材２１，２２の開口を狭める部位に位置する縁部２１ａ、２２ａ（図４参照）が天板２の下面にほぼ合致するように当該天板２の厚み内に埋没して連続溝Ｓを下方に開口させるようにしている。
【００２７】
図５に示すように、側枠材２５の巾寸法ｄ１は図１の脚１に設定された天板受１ｘの巾寸法ｄ２に略対応させてあるので、この天板２を左右の脚１に取り付けた状態では、左右の脚１，１の内法間のほぼ全域に亘って天板２の前縁２ａ側の下面及び後縁２ｂ側の下面に天板幅方向に沿ったレールＲ１，Ｒ２が下方に連続開口して存することとなる。
【００２８】
なお、この実施形態では、図２に示す補強部材２３，２４と側枠材２５との交叉部分の適宜箇所が溶接継手を介して接合されており、天板２の面板２０と補助パネル２６の面板２６ｂとの間には、図４に示すようにペーパーハニカム等の軽量芯材Ｐが加圧接着加工によって充填されている。
【００２９】
図６〜図１１は、この天板２の利用の態様を示している。
【００３０】
図６に示すものは、天板２の前縁２ａ側に位置するレールＲ１に補助天板４等のオプション部材を取り付ける態様と、天板２の後縁２ｂ側に位置するレールＲ２に照明５等のオプション部材を取り付ける態様とを示している。
【００３１】
図７は補助天板４をその取付部４ａとともに示している。取付部４ａは、ブラケット４１と、このブラケット４１の基端に設けた固定片４２と、この固定片４２に対して接離可能な可動片４３とを備え、可動片４３にはグリップ４４ａの付いたねじ軸４４が付帯している。ブラケット４１には上方に折り返した部分に天板裏面への当接面４５が設定され、また斜め上方に延出させた先端に形成した取付板部４６に補助天板４を固定している。そして、図中矢印で示すように固定片４２及び可動片４３をレールＲ１を構成するレール部材２１の開口縁２１ａの内側に挿入し、その位置から可動片４３を固定片４２から離れる方向にスライドさせ、その位置でグリップ４４ａを操作して可動片４３をブラケット４１側に引き寄せることによって、図８に示すように当接面４５を天板２の下面に当接させて可動片４３を固定し、補助天板４を天板２の前縁２ａに連続する位置に取り付け得るようにしたものである。グリップ４４ａを緩めれば、可動片４３及び固定片４２をレール部材２１内に収容したままで、補助天板４の取付位置を図６に想像線で示すように天板幅方向に沿って変更することができ、また、可動片４３を固定片４２に近づく方向にスライドさせることによって、ブラケット４１を補助天板４とともに再び天板２から簡単に取り除くことができる。
【００３２】
図９は照明５等のオプション部材を取り付けるための取付部５ａを示している。この取付具も、ブラケット５１と、このブラケット５１の一部に設けた固定片５２と、この固定片５２に対して接離可能な可動片５３とを備え、可動片５３にはレンチ等で操作可能なねじ軸５４が付帯している。ブラケット５１には上方に折り返した部分に天板下面への当接面５５が設定され、上方に突出させた取付杆５６を利用して照明５を取り付けるようにしている。そして、図中矢印で示すように固定片５２及び可動片５３をレールＲ２を構成するレール部材２２の開口縁２２ａの内側に挿入し、その位置から可動片５３を固定片５２から離れる方向にスライドさせて、その位置でねじ軸５４を操作し可動片５３をブラケット５１側に引き寄せることによって、図１０に示すように天板当接面５５を天板２の下面に当接させて可動片５３を固定し、図６に示すように照明５を天板２の後縁２ｂ側より上方に突出させて取り付け得るようにしている。この場合も、ねじ軸５４を緩めることによって取付位置が巾方向に変更可能な点、レールＲ２から取り外せる点は上記と同様である。
【００３３】
なお、このデスクは、図１０に示すように天板２の後縁２ｂ側に背板３を備え、天板２と背板３の間にオプション部材を立ち上げるための間隙δを設けていて、前記取付杆５６はその間隙δから上方に立ち上がるようになっている。そして、背板３にも、幅方向に沿ってレールＲ３を設け、天板２のレールＲ２にブラケット５１を取り付ける際にブラケット５１の一部５１ｚを背板３のレールＲ３内に差し込んで、これら両レールＲ２，Ｒ３を利用して各種のオプション部材を取り付け得るようにしている。このような取付構造によると、オプション部材の荷重が両レールＲ２，Ｒ３に分散支持されるので、照明以外に例えば棚などの比較的重量のあるオプション部材も有効に取り付けることができる。
【００３４】
さらに、上述したようにこの実施形態のレールＲ１，Ｒ２は、天板２の肉厚内にあって天板下面から下方に突出していないので、図１１に示すようにセンター引出６等をレール機構６ｒを介して天板下面に取り付ける場合にも、天板２の肉厚内に設けたレールＲ１，Ｒ２との干渉を避けた取り付け状態が実現可能となる。このレール機構６ｒは、引出６の左右を支持すべく一対のガイドレール６ｚを平行に保つ必要があるため、図３に示すスリット孔２３ｄ、２４ｄを利用して天板２に取り付けるのが通常考えられるところであるが、少なくとも前後何れか一方を天板２の肉厚内に設けたレールＲ１，Ｒ２を利用して取り付けるようにしてもよいし、他の手段によって一対のガイドレール６ｚ，６ｚの平行を維持できれば、天板２の肉厚内に設けたレールＲ１，Ｒ２のみによってこれらのガイドレール６ｚ，６ｚを天板２に取り付けるようにしても構わない。これにより、天板巾方向へのセンター引出６の位置変更作業が格段に簡略になることが期待できる。
【００３５】
また、前記スリット孔２３ｄ、２４ｄは、レールＲ１，Ｒ２と併用することもできるし、単独使用も可能である。このようなスリット孔２３ｄ、２４ｄを利用すれば、複数のオプション部材を間隔を保って取り付けられるし、天板両縁部にオプション部材を取り付ける場合にも、両端のスリット孔２３ｄ、２４ｄを使用するだけで、天板２の端面に揃うようにオプション部材を取り付けることが可能となる。勿論、このようなスリットは、上記のように補強部材２３，２４に設ける以外に、レールＲ１，Ｒ２を構成するレール部材２２それ自体に設けることも可能である。
【００３６】
以上のように、この実施形態の天板２は、天板本体２ｓの縁部２ａ、２ｂの近傍において、補助天板４や照明５等のオプション部材を下から止めるためのレールＲ１，Ｒ２を、天板幅方向に沿って当該天板本体２ｓの厚み内に設けたものである。
【００３７】
このように、天板２の前縁２ａ、後縁２ｂを問わずにオプション部材を取り付けることが可能となることで、従来に比してより多様なオプション部材の取付態様を実現することができる。しかも、レールＲ１，Ｒ２は天板本体２ｓの厚み内に設けてあるため、図１１に示すように交叉する方向にセンター引出６や図示しないＰＣハンガー等を、レールＲ１，Ｒ２と干渉することなく取り付けることが可能であり、天板本来の機能を損なうこともない。さらに、図８や図１０に示すように、オプション部材を取り付けるための基端取付部４ａ、５ａは、当接面４５，５５を天板２の下面に密着させて取り付けることができるので、取付強度も有効に高めることができる。またレールＲ１，Ｒ２自体が所要の強度を有するので、レールＲ１，Ｒ２は天板本体２ｓを補強する役割も果たすことになる。そして、天板２に付帯して使用される種々のオプション部材を、天板幅方向の適宜位置においてレールＲ１，Ｒ２に取り付けることが可能になるとともに、クランプのように天板面を使用せずにオプション部材を取り付けられるので、作業面に影響を及ぼさない有効な取付態様が実現可能となる。
【００３８】
また、レールＲ１，Ｒ２が、下向きに開口する連続溝状をなし、開口縁２１ａ、２２ａよりも内部が拡開しているので、上述したような簡易な取付具４ａ、５ａを利用して、開口縁２１ａ、２２ａで適切な抜け止めを図るとともに、オプション部材の荷重を開口縁２１ａ、２２ａを介してレールＲ１，Ｒ２に有効に支持させることができる。また、開口縁２１ａ、２２ａによりレールＲ１，Ｒ２の開口が狭まることで、レール強度も有効に高めることができる。
【００３９】
そして、天板２の前縁側又は後縁側にオプション部材の取付位置を一定ピッチに規制するスリット孔２３ｄ、２４ｄによる取付構造をさらに有しているので、複数のオプション部材を取り付ける際に、その隙間を一定の間隔に維持し、見た目が揃った綺麗な取付状態に容易に整えることができる。また、天板２の両縁部にオプション部材を取り付ける場合にも、両端のスリット孔２３ｄ、２４ｄを使用するだけで、天板２の端面に揃うようにオプション部材が取り付けられるため、オプション部材を天板巾方向にはみ出したりせず邪魔にならない取付状態も容易に得ることができる。勿論、この場合にも、見た目が揃った綺麗な取付状態が容易に得られることは言うまでもない。
【００４０】
特に、そのような取付構造として、本実施形態は天板２の前縁側又は後縁側にスリット孔２３ｄ，２４ｄを平行に設けているので、簡単な構造で天板巾方向の適宜位置にて上記の効果を有効に得ることができるとともに、オプション部材の位置変更機能なども有効に高めることが可能となる。
【００４１】
具体的には、レールＲ１，Ｒ２を、天板本体２ｓの前縁２ａ近傍及び後縁２ｂ近傍において対向するように平行に設けているので、天板２の前縁２ａ側にも後縁２ｂ側にもオプション部材を取り付けることができ、また、前後のレールＲ１，Ｒ２を利用してセンター引出６や図示しないＰＣラック等の奥行きのあるオプション部材も有効に支持することができる。
【００４２】
天板２のより具体的な構成としては、前後のレールＲ１，Ｒ２間に密接させて天板本体２ｓに裏面補強部材たる補強パネル２６を設けているので、天板２の強度を更に高めるとともに、補強パネル２６によって前後のレールＲ１，Ｒ２の平行を保ち、それらのレール強度も補強パネル２６によって有効に高めることができる。
【００４３】
特に、補強パネル２６が、天板本体２ｓの面板２０に対向する位置に配される面板２６ｂを具備し、天板本体２ｓの面板２０と補強パネル２６の面板２６ｂとの間にペーパーハニカム等の軽量芯材Ｐを挟み込むように介在させているので、軽量芯材Ｐの導入スペースを合理的に確保しつつ、天板２を重量化することなくその強度を有効に高めることができる。
【００４４】
このように、本実施形態のデスクは、天板２の下面における前縁２ａ側及び後縁２ｂ側にレールＲ１，Ｒ２が備わるため、天板２に付帯して使用される種々のオプション部材を多様なレイアウトで利用ことができ、執務に適した環境を有効に追求することができる。
【００４５】
そして、天板２の後縁２ｂ側にレールＲ２が備わり、且つその後縁２ｂ側に背板３が配されることに鑑みて、天板２の後縁２ｂ側に、当該天板２との間に間隙δを設けているので、天板２の後縁２ｂ側にレールＲ２によってオプションを取り付け可能とした天板２の機能を有効に担保することができる。
【００４６】
さらに、背板３にも、幅方向に沿ってレールＲ３を設け、天板２のレールＲ２及び背板３のレールＲ３の双方を利用してオプション部材を取り付け可能としているので、オプション部材の荷重が両レールＲ２，Ｒ３に分散支持されることになり、図６に示した照明５以外に、棚などの比較的重量のあるものも適切に支持することが可能となる。
【００４７】
なお、各部の具体的な構成は、上述した実施形態のみに限定されるものではない。
【００４８】
例えば、ブラケット等のレールへの取付構造は、図示しないが、ブラケットの基端に平面視において概略平行四辺形状をなす当て板を回転可能に設け、この当て板をレールの開口を通過させた後に回転させることによって、当て板をレール溝内の立壁に突き当て、その位置で当て板をねじ軸により引き寄せて、レールの開口縁に締着させるようにしてもよい。
【００４９】
また、上記実施形態では、レールの開口縁の上面を利用してブラケット等を挟み込むように取り付けているが、レール内の立壁を利用してブラケット等を固定する態様も可能である。
【００５０】
さらに、上記実施形態では天板の前後両縁側にレールを設けているが、前縁側のみ、或いは後縁側のみにレールを設けても、上記に準じた作用効果を得ることができる。
【００５１】
また、スリット孔をレールと併用する態様としては、上記実施形態のように天板の前後両縁にレール及びスリット孔を設ける態様以外に、天板の前縁側又は後縁側の一方にレール、他方にスリット孔を設ける態様、さらには天板の前後両縁にレール、何れか一方にスリット孔を設ける態様など、種々変形して実施することができる。
【００５２】
勿論、オプション部材の取付位置を一定ピッチに規制する取付構造であれば、その形態はスリット孔に限られるものではない。
【００５３】
その他の構成も、本発明の趣旨を逸脱しない範囲で種々変形が可能である。
【図面の簡単な説明】
【００５４】
【図１】本発明の一実施形態に係るデスクの斜視図。
【図２】同デスクを構成する天板の裏面斜視図。
【図３】図２の一部破断した分解図。
【図４】同天板の縦断面図。
【図５】同天板の脚への取付構造を示す斜視図。
【図６】同天板へのオプション部材の取付態様を示す斜視図。
【図７】同天板の前縁側のレールを利用してオプション部材を取り付ける態様を示す斜視図。
【図８】図７に対応した取付状態の部分断面図。
【図９】同天板の後縁側のレールを利用してオプション部材を取り付ける態様を示す斜視図。
【図１０】図９に対応した取付状態の一部破断した斜視図。
【図１１】同天板の前後両縁側のレールを利用してオプション部材を取り付ける態様を示す斜視図。
【符号の説明】
【００５５】
２…天板
２ｓ…天板本体
２ａ…前縁
２ｂ…後縁
３…背板
４…オプション部材（補助天板）
５…オプション部材（照明）
６…オプション部材（センター引出）
２０…面板
２３ｄ、２４ｄ…スリット孔
２６…裏面補強部材（補強パネル）
２６ｂ…面板
Ｐ…軽量芯材
Ｒ１，Ｒ２、Ｒ３…レール
【図１】
0005339269.tif 000002
【図２】
0005339269.tif 000003
【図３】
0005339269.tif 000004
【図４】
0005339269.tif 000005
【図５】
0005339269.tif 000006
【図６】
0005339269.tif 000007
【図７】
0005339269.tif 000008
【図８】
0005339269.tif 000009
【図９】
0005339269.tif 000010
【図１０】
0005339269.tif 000011
【図１１】
0005339269.tif 000012